(57)【要約】【課題】放射線検出器を効率的に冷却しながら、放射線検出器の防湿及び防塵効果を高めることにより、時間分解能及びエネルギー分解能を向上させて、診断精度を向上できる核医学診断装置を提供する。【解決手段】収納部材５内には、断熱部材７を介して放射線検出器２１が収容される第１の領域Ａと、信号処理装置が収容される第２の領域Ｂが設けられている。また、収納部材５には、第１の領域Ａに連通するようにして、防塵フィルタ９を備えた通気口８が設けられ、第２の領域Ｂに連通するようにして、冷却空気の入口となる通気孔３４と出口となるユニットファン３３が設けられている。【選択図】図３
2007101556.tif 000002
【特許請求の範囲】
【請求項１】
被検体を保持するベッドの周りに検出器ユニットを配置した核医学診断装置において、
前記検出器ユニットは、放射線を検出する複数の放射線検出器及び前記各放射線検出器のそれぞれの検出信号が別々に入力される複数の信号処理装置を含む複数のユニット基板と、
前記複数のユニット基板を内蔵し、前記複数の放射線検出器が配置される第１の領域と、前記複数の信号処理装置が配置される第２の領域とに区画する収納部材と、
前記信号処理装置を冷却する気体冷却材を前記第２の領域に導入させそこから排出する冷却材排出手段と、を有し、
前記収納部材には、前記第１の領域と前記収納部材の外部と連通する通気口が形成され、前記通気口に防塵フィルタが設けられていることを特徴とする核医学診断装置。
【請求項２】
被検体を保持するベッドの周りに検出器ユニットを配置した核医学診断装置において、
前記検出器ユニットは、放射線を検出する複数の放射線検出器及び前記各放射線検出器のそれぞれの検出信号が別々に入力される複数の信号処理装置を含む複数のユニット基板と、
前記複数のユニット基板を内蔵する収納部材と、
前記複数の放射線検出器が配置される第１の領域と前記信号処理装置が配置される第２の領域とに区画する仕切部材と、
前記信号処理装置を冷却する気体冷却材を前記第２の領域に導入させそこから排出する冷却材排出手段と、を有し、
前記収納部材には、前記第１の領域と前記収納部材の外部と連通する通気口が形成され、前記通気口に防塵フィルタが設けられていることを特徴とする核医学診断装置。
【請求項３】
前記仕切部材は、断熱部材であることを特徴とする請求項２に記載の核医学診断装置。
【請求項４】
前記仕切部材は、電磁波遮蔽部材であることを特徴とする請求項２に記載の核医学診断装置。
【請求項５】
前記防塵フィルタを備えた通気口は、隣り合う検出器ユニットと対向しない側に設けられていることを特徴とする請求項１から請求項４のいずれか１項に記載の核医学診断装置。
【請求項６】
前記第２の領域に前記気体冷却材を導入する通気孔が前記収納部材に形成され、前記通気孔が前記放射線検出器寄りに設けられ、前記冷却材排出手段が前記信号処理装置を挟んで前記放射線検出器とは逆側に設けられていることを特徴とする請求項１から請求項５のいずれか１項に記載の核医学診断装置。
【請求項７】
前記放射線検出器と前記信号処理装置とは、単一の基板に設けられていることを特徴とする請求項１から請求項６のいずれか１項に記載の核医学診断装置。
【請求項８】
前記放射線検出器は、第１の基板に設けられ、
前記信号処理装置は、前記第１の基板とコネクタを介して結合される第２の基板に設けられていることを特徴とする請求項１から請求項６のいずれか１項に記載の核医学診断装置。
【請求項９】
前記通気孔は、前記気体冷却材が、前記第２の基板の面に対して側方から導入されるように構成されていることを特徴とする請求項８に記載の核医学診断装置。
【請求項１０】
前記放射線検出器は、半導体放射線検出器であることを特徴とする請求項１から請求項９のいずれか１項に記載の核医学診断装置。
【請求項１１】
前記収納部材は、遮光性を有することを特徴とする請求項１から請求項１０のいずれか１項に記載の核医学診断装置。
【請求項１２】
被検体を保持するベッドの周りに検出器ユニットを配置した陽電子放出型断層撮影装置において、
前記検出器ユニットは、放射線を検出する複数の放射線検出器及び前記各放射線検出器のそれぞれの検出信号が別々に入力される複数の信号処理装置を含む複数のユニット基板と、
前記複数のユニット基板を内蔵する収納部材と、
前記複数の放射線検出器が配置される第１の領域と前記信号処理装置が配置される第２の領域とに区画する仕切部材と、
前記信号処理装置を冷却する気体冷却材を前記第２の領域に導入させそこから排出する冷却材排出手段と、を有し、
前記収納部材には、前記第１の領域と前記収納部材の外部と連通する通気口が形成され、前記通気口に防塵フィルタが設けられていることを特徴とする陽電子放出型断層撮影装置。
【請求項１３】
放射線を検出する複数の放射線検出器及び前記各放射線検出器のそれぞれの検出信号が別々に入力される複数の信号処理装置を含む複数のユニット基板と、前記複数のユニット基板を内蔵して前記複数の放射線検出器が配置される第１の領域と前記複数の信号処理装置が配置される第２の領域とに区画する収納部材と、前記信号処理装置を冷却する気体冷却材を前記第２の領域に導入させそこから排出する冷却材排出手段と、有し、前記収納部材には、前記第１の領域と前記収納部材の外部と連通する通気口が形成され、前記通気口に防塵フィルタが設けられていることを特徴とする検出器ユニット。
【請求項１４】
放射線を検出する複数の放射線検出器及び前記各放射線検出器のそれぞれの検出信号が別々に入力される複数の信号処理装置を含む複数のユニット基板と、前記複数のユニット基板を内蔵する収納部材と、前記放射線検出器が配置される第１の領域と前記信号処理装置が配置される第２の領域とに区画する仕切部材と、前記信号処理装置を冷却する気体冷却材を前記第２の領域に導入させそこから排出する冷却材排出手段と、を有し、前記収納部材には、前記第１の領域と前記収納部材の外部と連通する通気口が形成され、前記通気口に防塵フィルタが設けられていることを特徴とする検出器ユニット。
【請求項１５】
前記仕切部材は、断熱性を有することを特徴とする請求項１４に記載の検出器ユニット。
【請求項１６】
前記仕切部材は、電磁波を遮蔽する材料で形成されていることを特徴とする請求項１４に記載の検出器ユニット。
【請求項１７】
前記第２の領域に前記気体冷却材を導入する通気孔が前記収納部材に形成され、前記通気孔が前記放射線検出器寄りに設けられ、前記冷却材排出手段が前記信号処理装置を挟んで前記放射線検出器とは逆側に設けられていることを特徴とする請求項１３から請求項１６のいずれか１項に記載の検出器ユニット。
【請求項１８】
前記放射線検出器と前記信号処理装置とは、単一の基板に設けられていることを特徴とする請求項１３から請求項１７のいずれか１項に記載の検出器ユニット。
【請求項１９】
前記放射線検出器は、第１の基板に設けられ、
前記信号処理装置は、前記第１の基板とコネクタを介して結合される第２の基板に設けられていることを特徴とする請求項１３から請求項１７のいずれか１項に記載の検出器ユニット。
【発明の詳細な説明】
【技術分野】
【０００１】
本発明は、放射線を利用した核医学診断装置に係り、特に、Ｘ線ＣＴ、陽電子放出型断層撮影（Positron Emission Computed Tomography、以下、「ＰＥＴ」という）、単光子放出型断層撮影（Single Photon Emission Computed Tomography、以下、「ＳＰＥＣＴ」という）等の複数種の放射線検査を行うのに好適な核医学診断装置、陽電子放出型断層撮影装置及び検出器ユニットに関する。
【背景技術】
【０００２】
放射線を利用した検査技術は、被検体内部を非破壊で検査することができる。特に、人体に対する放射線検査技術には、Ｘ線ＣＴ、ＰＥＴ、ＳＰＥＣＴ等がある。これらの技術はいずれも、検査対象の物理量を放射線飛翔方向の積分値として計測し、その積分値を逆投影することにより被検体内の各ボクセルの物理量を計算し画像化する技術である。これらの技術では、膨大なデータを処理する必要があり、近年のコンピュータ技術の急速な発達に伴い、高速・高詳細画像を提供できるようになってきた。
【０００３】
核医学診断装置であるＰＥＴ及びＳＰＥＣＴは、Ｘ線ＣＴ等の核医学診断装置では検出できない分子生物学レベルでの機能や代謝の検出が可能な手法であり、身体の機能画像を提供することが可能である。
【０００４】
ＰＥＴは、18Ｆ，15Ｏ，11Ｃ，といったポジトロン放出核種で標識した放射性薬剤を投与し、その分布を計測して画像化する手法である。薬剤には、フルオロデオキシグルコース（2-[F-18]fluoro-2-deoxy-D-glucose、18ＦＤＧ）等が用いられ、これは糖代謝により腫瘍組織に高集積することを利用し、腫瘍部位の特定に使用される。体内に取り込まれた放射線核種は、崩壊してポジトロン（β＋）を放出する。放出されたポジトロンは電子と結合して消滅する際に、５１１ｋｅＶのエネルギーを有する一対の消滅γ線（消滅γ線対）を放出する。この消滅γ線対は、ほぼ反対方向(１８０度±０．６度)に放射されるので、被検体の周りを取り囲むように配置した複数の放射線検出器で消滅γ線対を同時検出し、その放射方向データを蓄積することで投影データを得ることができる。投影データを逆投影（フィルタードバックプロジェクション法等を使用）することにより放射位置（放射線核種の集積位置）を同定し画像化することが可能となる。
【０００５】
ＳＰＥＣＴは、シングルフォトン放出核種で標識した放射性薬剤を投与し、その分布を計測して画像化する手法である。薬剤からは１００ｋｅＶ程度のエネルギーをもった単一γ線が放出され、この単一γ線を放射線検出器で計測している。この単一γ線の計測では、その飛翔方向を同定できないので、ＳＰＥＣＴでは放射線検出器の前面にコリメータを挿入し、特定の方向からのγ線のみを検出することにより投影データを得る。ＰＥＴ同様、フィルタードバックプロジェクション法等を利用し投影データを逆投影して画像データを得る。ＰＥＴと異なるところは、単一γ線の計測に起因して同時計測の必要がなく、放射線検出器の数が少なくて済むこと等であり、装置構成が簡単である。
【０００６】
前記した従来のＰＥＴ、ＳＰＥＣＴ等の核医学診断装置では、画像を得るために、放射線検出器としてシンチレータを使用している。このシンチレータは、入射したγ線を一旦可視光に変換し、その後、光電子増倍管（ホトマル）により電気信号に変換し直すという処理を行っている。また、シンチレータは、可視光変換時のフォトン発生数が少ない上に、前記のように２段階の変換過程を必要とするためにエネルギー分解能が低く、必ずしも診断精度を向上できないという問題を有していた。このエネルギー分解能の低下は、特に、ＰＥＴの３Ｄ撮像時に定量性評価が出来ないことの原因となっている。なぜなら、エネルギー分解能が低いためにγ線のエネルギー閾値を低くせざるを得ず、３Ｄ撮像時に増加するノイズである体内散乱を多く検出してしまうからである。
【０００７】
そこで、近年、核医学診断装置用の放射線検出器として半導体放射線検出器が注目されている。この半導体放射線検出器は、入射したγ線を直接電気信号に変換するものであり、生成される電子やホール対の数が多いため、エネルギー分解能が高いという特徴を有している。
【０００８】
これらの放射線検出器(シンチレータ及び半導体放射線検出器)の特性は、温度依存性を有するのが一般的である。ここで言う特性とは、時間分解能及びエネルギー分解能である。放射線検出器をより低い温度条件で使用することにより、これらの特性が向上することが知られている。
【０００９】
以下の特許文献１には、信号処理装置及び放射線検出器を効率的に冷却する冷却構造が記載されており、放射線検出器を低温で保持することにより画質及び定量性の向上が図れ、より高精度な診断が可能となる。
【特許文献１】特開２００５−１２８０００号公報（段落００５８〜００６０）
【発明の開示】
【発明が解決しようとする課題】
【００１０】
ところで、放射線検出器は、温度以外では、防湿性や防塵性が重要である。特に、半導体検出器の場合は、検出器に高電圧バイアスを印加する必要があり、検出器や基板上の高電圧印加部分に埃が付着すると、リーク電流が増加し、エネルギー分解能や時間分解能が低下する。また、埃の付着に加えて湿度が高くなると、エネルギー分解能や時間分解能がさらに低下する。
【００１１】
また、従来技術では、埃の付着を防止するために放射線検出器を密封する構造としているが、保守性を考慮して放射線検出器を完全な密封状態とすることは技術的に難しく、放射線検出器の湿度コントロールが困難で、しかも装置を長時間使用すると埃が混入する問題を抱えていた。
【００１２】
本発明は、放射線検出器を効率的に冷却しながら、保守性を損なうことなく、放射線検出器の防湿及び防塵効果を高めることができ、時間分解能及びエネルギー分解能を向上させて、高精度な診断を可能とする核医学診断装置及び陽電子放出型断層撮影装置並びに検出器ユニットを提供することを目的とする。
【課題を解決するための手段】
【００１３】
前記課題を解決するため、本発明は、被検体を保持するベッドの周りに検出器ユニットを配置した核医学診断装置において、前記検出器ユニットは、放射線を検出する複数の放射線検出器及び前記各放射線検出器のそれぞれの検出信号が別々に入力される複数の信号処理装置を含む複数のユニット基板と、前記複数のユニット基板を内蔵し、前記複数の放射線検出器が配置される第１の領域と、前記複数の信号処理装置が配置される第２の領域とに区画する収納部材と、前記信号処理装置を冷却する気体冷却材を前記第２の領域に導入させそこから排出する冷却材排出手段と、を有し、前記収納部材には、前記第１の領域と前記収納部材の外部と連通する通気口が形成され、前記通気口に防塵フィルタが設けられていることを特徴とする。
【００１４】
本発明の核医学診断装置では、放射線検出器と信号処理装置とを分離し、信号処理装置側を空冷しながら、放射線検出器側に防塵フィルタ付きの通気口を設ける構造とした。冷却材排出手段により、放射線検出器は、発熱体である信号処理装置からの熱の伝播を抑え、放射線検出器の温度上昇を抑えている。さらに、放射線検出器が設けられる第１の領域に連通する部分に空気の流入可能な通気口を設けて、この防塵フィルタを通気口に設けることにより、放射線検出器への埃の流入を防いでいる。さらに、防塵フィルタを備えた通気口を設けることにより、装置外部で設定された湿度に直ちに設定されて、湿度コントロールが容易になる。
【発明の効果】
【００１５】
本発明によれば、放射線検出器を低温で保持しながら、防湿及び防塵構造を可能としているので、時間分解能及びエネルギー分解能が格段に向上するとともに定量性が向上して、診断精度を向上できる。
【発明を実施するための最良の形態】
【００１６】
以下、本発明の好適な一実施形態である核医学診断装置について、図１〜図５を参照して説明する。なお、本実施形態では、核医学診断装置としてＰＥＴを例に挙げて説明するが、本発明はＰＥＴ装置に限らずＳＰＥＣＴ等のその他の核医学診断装置に適用することも可能である。
【００１７】
図１に示すように、ＰＥＴ装置１（核医学診断装置）は、撮像装置１１と、この撮像装置１１が撮像して得た検出データを処理して画像データに変換するデータ処理装置１２と、このデータ処理装置１２が出力する画像データを二次元または三次元的に表示する表示装置１３と、被検者（被検体）Ｈ（図２参照）を体軸方向に進退動可能に載せるベッド１４とを備えている。
【００１８】
図２に示すように、前記撮像装置１１は、多数の半導体放射線検出器（以下、単に検出器という、詳細は後記する）２１を有する検出器ユニット２を備えている。この検出器ユニット２は、撮像装置１１のケーシング１１Ａ内に配置され、撮像装置１１の空間Ｓ内に挿入されたベッド１４を取り囲むように、被検者Ｈの体軸Ｚを中心として周方向に多数配置されている。
【００１９】
被検者Ｈには、放射性薬剤、例えば、半減期が１１０分の１８Ｆを含んだフルオロデオキシグルコース（ＦＤＧ）が投与される。この放射性薬剤は、例えば、がんの患部Ｃに集積する。図２に示すように、このＦＤＧから放出された陽電子の消滅時に生じる一対のγ線（放射線）が、被検者Ｈの体内から同時に１８０度±０．６度の方向に放出される。これらγ線は、１８０°反対方向に位置する２つの検出器２１で検出される。それぞれの検出器２１から出力される検出信号に基づいて、被検者Ｈの体内におけるγ線の発生源（放射性薬剤の集積部）の位置が特定される。なお、図２に示された、検出器ユニット２及びその周辺部の構成は、その配置を説明するために概略的に示したものであって、詳細な構成については後に詳しく説明する。
【００２０】
また、前記撮像装置１１は、さらに冷却装置５０（図２に構成要素の一部を図示）を備えている。この冷却装置５０は、各検出器ユニット２を冷却するためのものであり、本実施形態では、冷却空気（気体冷却材）として空気を利用している。冷却装置５０の詳細については後記する。
【００２１】
図２に示すように、前記データ処理装置１２は、同時計測装置１２Ａ、及び画像情報作成装置１２Ｂを有する。データ処理装置１２は、後記する検出器ユニット２に内蔵された結合基板２２（図３（ｂ）参照）の統合ＦＰＧＡ２８（図３（ｂ）参照）から出力されるデータ（後記するパケットデータ）を取り込む。同時計測装置１２Ａは、この取り込んだデータのうち同一の発生源からのペアのγ線から発生源の位置を特定し、これらの位置情報を図示しない記憶装置に記憶する。そして、画像情報作成装置１２Ｂは、この特定された位置情報に基づいて被検者ＨにおけるＰＥＴ画像情報（断層像情報）を作成し、これを表示装置１３に表示させる。
【００２２】
具体的には、同時計測装置１２Ａにおいて、複数の検出データの検出時刻データを比較し、同時計測時間窓長、例えば、１０ｎｓ以内である２つのデータを有効データ対として判定する。さらに、画像情報作成装置１２Ｂにおいて、前記有効データ対の検出器２１のＩＤからγ線対の飛翔方向データを集積し、そのデータから画像再構成を実施してＰＥＴ画像を作成する。そして、作成したＰＥＴ画像を表示装置１３に出力する。
【００２３】
図３（ａ），（ｂ）に示すように、前記検出器ユニット２は、収納部材５、冷却材排出手段６、断熱部材（仕切部材）７、及びユニット基板２０を含んで構成されている。ちなみに、撮像装置１１（図２参照）は、例えば、検出器ユニット２が周方向に６０〜７０個着脱自在に配置され、保守点検が容易になるように構成されている。
【００２４】
前記ユニット基板２０は、第１の基板としての検出器基板２０Ａと、複数の検出器２１とを有し、これら検出器２１が検出器基板２０Ａの両面にそれぞれマトリックス状に配置されている。
【００２５】
前記検出器基板２０Ａは、図２に示した被検者Ｈの体軸Ｚ方向（ベッド１４の長手方向）に複数枚並べられた状態で、収納部材５内に配置されている。本実施形態では、図３（ｂ）に示すように、一例として検出器基板２０Ａが計１５枚設けられている。
【００２６】
なお、図３（ａ）では、一例として検出器基板２０Ａの片面当り、撮像装置１１の周方向（検出器ユニット２の並び方向）に１６個、撮像装置１１の径方向（検出器ユニット２の並び方向に直交する方向）に４個、の計６４個の検出器２１が設けられている。すなわち、本実施形態では、検出器２１が、撮像装置１１の中心軸（被検者Ｈの体軸Ｚと略同軸）を中心として周方向に並べられて配置されている。また、本実施形態では、検出器２１の配列ピッチを小さくして検出器２１を密に配置することで、検出器基板２０Ａ上における検出器２１の高密度実装化を図っている。したがって、検出器基板２０Ａにおけるγ線の検出効率を向上させることができ、検査時間の短縮が可能になる。
【００２７】
前記検出器２１は、図示しないカソードとアノードとに挟まれて積層された半導体部材を有している。この半導体部材は、ＣｄＴｅ（テルル化カドミウム）、ＴｌＢｒ（臭化タリウム）、ＧａＡｓ（ガリウム砒素）等のいずれかの単結晶で構成されている。アノード及びカソードは、Ｐｔ（白金）、Ａｕ（金）、Ｉｎ（インジウム）等のいずれかの材料が用いられる。このような構造の検出器２１とすることにより、電荷の収集効率が高められるとともに、素通りしてしまうγ線の量を少なくして、半導体部材とγ線との相互作用（カウント数）を増やす（感度を上昇させる）ことができる。なお、検出器２１は、必ずしもこのような積層構造とする必要はなく、単層としてもよいし、また、適宜の層構造としてもよい。
【００２８】
ここで、ＰＥＴ装置１では、設置される検出器２１の数が多くなればなるほどγ線が検出され易くなり、かつ、γ線検出の際の位置精度が高められる。このため、検出器２１は、前記のように密に配置されることが好ましく、また、図５に示すように、検出器ユニット２が、撮像装置１１のケーシング１１Ａ（図２及び図５参照）内において周方向に近接して配置されることが好ましい。このような配置構造を採ることにより、得られる画像の位置分解能を高めることができる。
【００２９】
かかる構成により、各検出器２１は、ＰＥＴ装置１で用いる５１１ｋｅＶのγ線（放射線）を検出して、そのγ線のエネルギー（半導体部材と相互作用を起こしたエネルギー）に対応したアナログ信号（γ線検出信号）を出力する。
【００３０】
図３（ｂ）に示すように、前記信号処理基板２０Ｂの他端（上端）には、基板コネクタＣ２が設けられており、この基板コネクタＣ２を介して接続された連絡線Ｒ１により信号処理基板２０Ｂと結合基板２２とが電気的に接続されている。
【００３１】
前記信号処理基板２０Ｂは、前記したそれぞれの検出器２１において出力されたγ線検出信号を処理する集積回路（アナログＡＳＩＣ２４，ＡＤＣ２５，デジタルＡＳＩＣ２６）を実装している。なお、アナログＡＩＳＣ２４が本実施形態の信号処理装置として機能している。
【００３２】
１個のアナログＡＳＩＣ２４は、スロー系とファースト系とを有するアナログ信号処理回路（アナログ信号処理装置）を３２組備えている。アナログ信号処理回路は検出器２１ごとに設けられ、１つのアナログ信号処理回路は１つの検出器２１に接続される。ここで、ファースト系は、γ線の検出時刻を特定するためのタイミング信号を出力するタイミングピックオフ回路を有している。また、スロー系は、検出したγ線の波高値を求めることを目的として、極性アンプ（線形増幅器）、バンドパスフィルタ（波形整形装置）、ピークホールド回路（波高値保持装置）がこの順序に接続されて設けられている。ちなみに、スロー系は、波高値を求めるためにはある程度の処理の時間を要することから「スロー」という名前が付いている。ちなみに、検出器２１から出力されてコンデンサ及び抵抗を通過したγ線検出信号は、チャージアンプ、極性アンプで増幅される。増幅されたγ線検出信号はバンドパスフィルタを経てピークホールド回路に入力される。ピークホールド回路は、検出信号の最大値、つまり検出したγ線のエネルギに比例したγ線検出信号の波高値を保持する。１個のアナログＡＳＩＣ２４は３２組のアナログ信号処理回路をＬＳＩ化したものである。
【００３３】
これらの集積回路は、検出器２１から出力された微弱なγ線検出信号を増幅し、検出したγ線のエネルギー及び検出時刻を計測する。そして、計測されたエネルギー及び検出時刻のデータに、予めそれぞれの検出器２１に個別に設定されている検出器ＩＤを付加し、パケットデータ（デジタルデータ）として出力する。
【００３４】
また、前記信号処理基板２０Ｂには、その端部（下端部）にコネクタＣ１が設けられ、このコネクタＣ１を介して信号処理基板２０Ｂが前記検出器基板２０Ａと機械的かつ電気的に接続されている。なお、この検出器基板２０Ａと信号処理基板２０Ｂとのオーバラップ部分において、互いにねじ（図示せず）で着脱自在に結合されていてもよい。このような、検出器基板２０Ａと信号処理基板２０Ｂとの電気的な接続構造を用いることで、信号を検出器基板２０Ａから信号処理基板２０Ｂへ低損失で伝送することが可能になる。ちなみに、損失が低くなると、例えば、検出器２１としてのエネルギー分解能が向上する。
【００３５】
このように、検出器基板２０Ａと信号処理基板２０Ｂとの接続は、コネクタＣ１によって行われることから、基板同士の着脱が容易になる。したがって、例えば、検出器２１やアナログＡＳＩＣ２４などに不具合が生じた場合には、不具合のある部分、すなわち検出器基板２０Ａだけ、または信号処理基板２０Ｂだけを取り替えれば済む。よって、一部に不具合があるために、基板全体を新しいものに取り替えるといったようなムダを無くすことができ、保守費用の低減が可能になる。
【００３６】
前記結合基板２２は、各ユニット基板２０に電圧を供給するための昇圧装置である高圧電源２７と、各信号処理基板２０Ｂの基板コネクタＣ２を通じて出力された前記パケットデータを集約する統合ＦＰＧＡ（Field Programmable Gate Array）２８と、これら集約されたパケットデータをデータ処理装置１２（図２参照）に送信するデータ転送装置２９とを備えている。本実施形態では、結合基板２２が信号処理基板２０Ｂ（ユニット基板２０）と同様に並べられて、後記する収納部材５内の後方側（図３（ｂ）における右側）に配置される。なお、結合基板２２の位置は、これに限定されるものではなく、収納部材５の前方側等であってもよい。
【００３７】
前記高圧電源２７は、撮像装置１１の外部に設置された低圧の電源（図示せず）に接続されており、ＤＣ−ＤＣコンバータにより低圧の電圧を３００Ｖに昇圧して各検出器２１に供給する。また、高圧電源２７は、結合基板２２に搭載されて収納部材５内に配置されるので、検出器ユニット２をユニット支持部４０（図２）に取り付けることによって撮像装置１１に容易に設置できる。なお、本実施形態では撮像装置１１において、各検出器２１がベッド１４の長手方向（前後方向）を向くように配置されているが、この構造に限定されず、例えば、各検出器２１が撮像装置１１の周方向を向くように配置してもよい。
【００３８】
なお、前記ユニット基板２０は、前記構成に限らず、例えば、単一の基板で構成して検出器２１及び各種の集積回路等を実装するようにしてもよい。このようにすることで、コネクタＣ１がない分、コストが低減されるとともに、装置の組み立てが簡単になる。また、浮遊容量が低減され、検出器２１の特性ひいては装置の特性を向上させることも可能になる。
【００３９】
図３（ａ），（ｂ）及び図４に示すように、前記収納部材５は、内部に空間を有する四角箱型であり、撮像装置１１のケーシング１１Ａ内に設けられるリング状のユニット支持部４０（図４参照）に対して周方向に取り付けられる。
【００４０】
本実施形態では、前記のように、収納部材５内に収容されるユニット基板２０が、奥行方向（ベッド１４の長手方向）に重なり合わないように所定間隔毎に１５列並べられているとともに、結合基板２２が、収納部材５の後部側（図３（ｂ）の右側）に所定間隔を開けて配置されている。これらユニット基板２０及び結合基板２２は、収納部材５の長手方向（ベッド１４の長手方向）に延びて収納部材５に架け渡された４本の基板固定棒３２によって、信号処理基板２０Ｂの四隅近傍が貫通されて支持されることにより収納部材５に支持されている。
【００４１】
また、前記収納部材５の上部には、排気用のユニットファン３３が設けられている。このユニットファン３３は、図示しない薄形のモータにより回転駆動されるファンを内蔵しており、収納部材５内の空気を収納部材５の上方（外側）に設けられた排気ダクト４３（図２）に向けて排出する機能を有している。なお、ユニットファン３３は、結合基板２２に供給された図示しない低圧の電源から電力の供給を受けて作動するようになっている。また、ユニットファン３３は、常時作動型であってもよく、あるいは収納部材５内の温度が所定の温度となったことを検出して作動するように構成してもよい。このように構成することで電力の消費を抑えることができる。
【００４２】
また、収納部材５内には、検出器２１が配置される第１の領域Ａと、信号処理装置が配置される第２の領域Ｂとに区画する仕切部材としての断熱部材７が設けられている。この断熱部材７は、図３（ｂ）に示すように、ユニット基板２０のコネクタＣ１の位置で、ユニット基板２０相互間、ユニット基板２０と結合基板２２との間、ユニット基板２０と収納部材５の内側面５ｂとの間、及び結合基板２２と収納部材５の内側面５ｂとの間、図３（ａ）に示すように、各ユニット基板２０と収納部材５の内側面５ｃ，５ｃとの間、結合基板２２と収納部材５の内側面（図示せず）との間にそれぞれ形成される隙間Ｓ１に断熱部材７が所定の厚みで設けられ（目張りされ）ている。つまり、断熱部材７を境にして、検出器基板２０Ａの全検出器２１が位置する収納部材５の内側の空間(第１の領域Ａ)と、信号処理基板２０Ｂ及び結合基板２２が位置する収納部材５の内側の空間（第２の領域Ｂ）とに区画されている。この断熱部材７の存在により、第２の領域Ｂの集積回路（デジタルＡＳＩＣ２６等）で発生した熱が第１の領域Ａに伝播されるのを防止できるので、検出器２１が高温に曝されるのを防止できる。
【００４３】
前記断熱部材７としては、熱伝導率が低く、隙間Ｓ１に対する充填性に優れた材料、例えばウレタンを用いることができる。好ましくは、電磁波を遮蔽することが可能な部材（電磁波遮蔽部材）、例えば、金属シートでウレタンを包むとよい。このような電磁波を遮蔽することが可能な部材を用いることにより、集積回路（デジタルＡＳＩＣ２６等）から発生する電磁波から検出器２１を防御することができる。これにより、検出器２１の時間分解能及びエネルギー分解能を高めることが可能になる。また、断熱部材７は、弾性を有する部材、例えばゴム等の弾力性を備えた部材を用いることにより、隙間Ｓ１の目張りを行う作業がより簡便化し、さらに、ＰＥＴ装置１を移送する際にユニット基板２０に振動が生じても、これを好適に抑制することができる。
【００４４】
なお、前記例においては、断熱部材７をユニット基板２０のコネクタＣ１の位置において充填したが、これは一例であって、集積回路（デジタルＡＳＩＣ２６等）からの熱が検出器２１側に伝わるのを防止することのできる任意の位置、例えば、アナログＡＳＩＣ２４の下方近傍位置等に設けてもよい。
【００４５】
図３（ｂ）に示すように、前記冷却材排出手段６は、ユニットファン３３と多数の通気孔３４とで構成されている。ユニットファン３３は、収納部材５内の空気を外部に強制的に排出するものであり、収納部材５の信号処理基板２０Ｂを挟んで検出器２１の逆側（１８０度反対側）、つまり図３に示す収納部材５の上部に設けられている。通気孔３４は、検出器ユニット２の外部から冷却空気を収納部材５内に導入するためのものであり、収納部材５の幅方向（図２の周方向）の両側部５ａ，５ａに形成され、信号処理基板２０Ｂの面に対して側方から冷却空気が導入されるようになっている。本実施形態では、通気孔３４が、各側部５ａに信号処理基板２０Ｂに沿うようにして４個形成され、また図示していないが、図３（ａ）に示す配列の通気孔３４が信号処理基板２０Ｂの並び方向（ベッド１４の長手方向）に沿って複数組（例えば、信号処理基板２０Ｂ及び結合基板２２の枚数分）形成されている。これにより、収納部材５内に略均一に所定量の空気が導入され、それぞれの信号処理基板２０Ｂ及び結合基板２２を均一に冷却できる。
【００４６】
また、前記通気孔３４は、収納部材５の第２の領域Ｂと連通するように形成されるとともに、検出器２１（第１の領域Ａ）寄りの位置、言い換えるとユニットファン３３から最も離れた位置に形成されている。これにより、図５の一点鎖線で示すように、信号処理基板２０Ｂ及び結合基板２２の全体にまんべんなく冷却空気を通流させることができるので、冷却効率を高めることができる。
【００４７】
図３（ｂ）に示すように、前記収納部材５には、長手方向の後方側の側部５ｄに、第１の領域Ａと連通する位置に通気口８が設けられ、この通気口８の全体を覆うように防塵フィルタ９が設けられている。なお、この防塵フィルタ９を備えた通気口８は、収納部材５の長手方向の後方側の側部５ｄに限定されるものではなく、収納部材５の別の側部や下部５ｅであってもよい。また、防塵フィルタ９を備えた通気口８は、１箇所ではなく、複数箇所に設けられていてもよい。
【００４８】
前記防塵フィルタ９としては、ＨＥＰＡ（High Efficiency Particulate Air）フィルタを挙げることができる。なお、防塵フィルタ９は、単一のフィルタで構成されるものに限定されず、複数種のフィルタを組み合わせたものであってもよい。また、ＨＥＰＡフィルタに限定されるものではなく、紙、不織布などの別の種類のフィルタであってもよい。このような防塵フィルタ９を収納部材５の通気口８に設けることにより、収納部材５の外部から、多数の検出器２１が設けられている第１の領域Ａに塵などが侵入するのを防止できる。また、防塵フィルタ９を備えた通気口８を、隣り合う検出器ユニット２と対向しない側に設けることにより、検出器ユニット２を周方向に、より密に配置できるようになり、検出感度の向上が図れる。
【００４９】
図４に示すように、このように構成された収納部材５を有する検出器ユニット２は、撮像装置１１のケーシング１１Ａ（図２参照）内に設置されたユニット支持部４０に取り付けられる。ユニット支持部４０は、リング形状であり、その外周面に周方向に沿って所定間隔毎に複数の開口部４０ａが設けられ、各開口部４０ａに検出器ユニット２が、ユニット基板２０の検出器基板２０Ａ側から挿入されるように構成されている。なお、検出器ユニット２のユニット支持部４０への固定は、図示しないねじ等を用いることにより行われる。これにより、検出器ユニット２は、ユニット支持部４０に対して着脱可能に構成されるので、メンテナンス等が容易になる。
【００５０】
なお、本実施形態では、図５に示すように、隣接する検出器ユニット２の収納部材５同士が、互いに微小角度で近接して配置されるので、素通りしてしまうγ線の量を極力少なくして、放射線の検出感度を向上させることが可能になる。したがって、検査時間の短縮を図ることが可能となる。
【００５１】
図２に示すように、前記冷却装置５０は、送風装置５１と、この送風装置５１からの空気をユニット支持部４０に導入するダクト５２と、ユニット支持部４０に設けられた導風路４２と、この導風路４２の外側を取り囲むように設けられた排気ダクト４３と、この排気ダクト４３に設けられた排気ファン４４とを主に備えている。なお、導風路４２は、図５に示すように、開口縁４０ｂ、収納部材５の側部５ａ、及び各収納部材５に架け渡された天板４２ａで、収納部材５相互間に形成されている。
【００５２】
前記送風装置５１及びダクト５２は、ケーシング１１Ａの外部に設置される。送風装置５１は、撮像装置１１の側方や後方等の、撮像装置１１の操作やメンテナンス等の邪魔にならない場所に配置されており、撮像装置１１が設置される部屋内の空気を内蔵ファンによって吸い込み、ダクト５２を介して図示しない流路を通って導風路４２に供給する。送風装置５１の吸気口側には、図示しない空気清浄フィルタが取り付けられており、この空気清浄フィルタを通過した空気が冷却空気として利用される。空気清浄フィルタとしては、集塵性能の高いヘパ（ＨＥＰＡ）フィルタや電気式の集塵フィルタ等を用いることができる。
【００５３】
前記導風路４２は、収納部材５の側部５ａに設けられた通気孔３４を介して収納部材５内の第２の領域Ｂと連通している。収納部材５に設けられたユニットファン３３の駆動と相俟って、収納部材５内には、導風路４２からの空気が導入される。排気ダクト４３は、ユニットファン３３を介して収納部材５の内部と連通しており、ユニットファン３３の駆動によって、排気ダクト４３に向けて収納部材５内部の空気が排出される。排気ダクト４３には、撮像装置１１が設置される部屋内に開口された排気口４３ａが計３個所に設けられており、各排気口４３ａに設けられた排気ファン４４を通じて、排気ダクト４３内の空気が部屋内に排出されるようになっている。
【００５４】
なお、本実施形態では、撮像装置１１が設置される部屋内の空気を吸い込んで、冷却空気として利用し、冷却後に再び検査室内に排出するように構成したが、検査室の外から空気を吸い込んで冷却後の空気を再び検査室の外へ排出するように構成してもよい。
【００５５】
次に、本実施形態のＰＥＴ装置１の作用について説明する。電源スイッチを操作して撮像装置１１に電力を供給すると、撮像装置１１の作動に連動して送風装置５１、ユニットファン３３及び排気ファン４４が作動する。送風装置５１からは、ダクト５２を介してユニット支持部４０の導風路４２に冷却空気が送出され、この送出された冷却空気は、収納部材５の側部５ａに設けられた通気孔３４を通じて収納部材５内の第２の領域Ｂに導入される。このとき、ユニットファン３３が駆動されて収納部材５内の第２の領域Ｂの空気が強制的に排出されているので、収納部材５内の第２の領域Ｂにおける空気の流れが、図５の一点鎖線で示すように、通気孔３４からユニットファン３３に向けて生じ、アナログＡＳＩＣ２４等の集積回路が冷却され、第２の領域Ｂの温度上昇を抑制することができる。
【００５６】
収納部材５内に供給された冷却空気は、ユニットファン３３により強制的に排気ダクト４３に排気される。排気ダクト４３から排気された冷却後の空気は、排気口４３ａに設けられた排気ファン４４によって、排気口４３ａから部屋内に排出される。以上のようにして、冷却装置５０による冷却空気を用いた冷却が行われる。
【００５７】
ところで、冷却装置５０には、ユニット支持部４０への入気側に図示しないフィルタが設けられているが、ここでのフィルタは、比較的粒径の大きな塵が撮像装置１１に導入されるのを防いでいる。これは、必要以上に粒径の小さな塵を除去しようとすると、開口率が低下し、空気の通りが悪くなり、冷却能力が低下してしまうからである。このため、検出器ユニット２には、冷却装置５０側に設けられたフィルタで除去しきれなかった粒径の細かな塵が流通することになる。その結果、検出器ユニット２内には、長時間の運転により第２の領域Ｂに塵が堆積することになる。収納部材５内では、検出器２１が配置される第１の領域Ａと、アナログＡＳＩＣ２４（信号処理装置）などの集積回路が収容される第２の領域Ｂとに区画されてはいるが、実際には、第１の領域Ａと第２の領域Ｂとを完全に遮蔽、言い換えると空気の流れを完全に遮断することはできず、断熱部材７とユニット基板２０との間、断熱部材７と結合基板２２との間、断熱部材７と収納部材５の内側面５ｂ，５ｂとの間、断熱部材７と収納部材５内の角部との間などに微小な隙間が形成されることがあり、または、断熱部材７の劣化などにより前記したような微小な隙間が形成されることがある。仮に収納部材５に本実施形態の通気口８（図３参照）が設けられていなかった場合、ユニットファン３３の運転中では、図５に示したように第２の領域Ｂに発生した空気の流れ（上昇気流）によって、前記した隙間を介して第２の領域Ｂの空気が吸引され、第２の領域Ｂ内が負圧となる。その後、ユニットファン３３が停止した場合には、瞬間的に第２の領域Ｂから第１の領域Ａに空気が流入する。したがって第１の領域Ａへの空気の流入により、第２の領域Ｂに堆積していた塵が同時に流入することになる。その結果、検出器２１などに塵が付着して、検出器２１の特性が損なわれるという問題が発生する。
【００５８】
また、ＰＥＴ装置１の可動中には、ＰＥＴ装置１が置かれている検査室全体が、空調設備により低湿度の空気が検出器ユニット２に取り込まれるように設定されているため、仮に本実施形態の通気口８が設けられておらず、第１の領域Ａが前記した微小な隙間の存在により中途半端な密閉状態であると、検出器２１が設けられた第１の領域Ａの湿度が、直ちに空調設備で設定された湿度に至らず、湿度コントロールが困難になる。たとえ、湿度コントロールができたとしても、設定湿度に至るのに長時間を要することになる。
【００５９】
そこで、本実施形態では、収納部材５の第１の領域Ａと連通する位置に通気口８を設けることにより、第１の領域Ａが負圧になるのを防止することが可能になる。したがって、ユニットファン３３の停止時に、微小な隙間を介して第２の領域Ｂから第１の領域Ａへの空気の流入が防止され、第２の領域Ｂに堆積した塵が第１の領域Ａに侵入するのを防止できる。よって、放射線検出器２１の性能が損なわれるといった不都合を防止できる。
【００６０】
また、本実施形態では、前記した通気口８の開口全体に防塵フィルタ９が設けられているので、通気口８からの塵の侵入も防止できる。また、湿度については、防塵フィルタ９の設置によって、第１の領域Ａが、ほぼ開放状態に等しくなるので、空調設備で設定した湿度に第１の領域Ａを直ちに設定できる。よって、第１の領域Ａの湿度コントロールが容易になる。
【００６１】
なお、本実施形態では、放射線検出器として半導体放射線検出器を使用したが、これに限定されるものではなく、例えば、シンチレータを使用してもよい。放射線検出器として、シンチレータを使用した場合の信号処理装置は、ホトマル及び位置演算装置などで構成することができる。この場合も、シンチレータを覆う収納部材に防塵フィルタを備えた通気口を設けることにより、防塵及び防湿効果を得ることが可能になる。
【００６２】
また、本実施形態で用いているＣｄＴｅを半導体材料とする検出器２１は、光に反応して電荷を発生することから、外部からの光が侵入してこの検出器２１を照射しないように遮光が施されていることが好ましい。具体的には、図４に示した収納部材５やユニット支持部４０は、アルミニウムまたはアルミニウム合金といった遮光性を有する材料から構成され、両者が嵌合する部分も含め、光が侵入する隙間をなくすように構成されている。
【００６３】
空間Ｓの方向から侵入する光に対しては、円筒板４０ｃをその外周面が収納部材５の下端近傍に位置するように配置することで、光が検出器２１に到達するのを確実に防御することができる。また、円筒板４０ｃをアルミニウム合金（またはアルミニウム）から構成することで遮光性を向上させることができる。さらに、空間Ｓの方向から侵入する光を防御する他の方法としては、図示しない遮光カバー等で収納部材５を覆うように構成してもよいし、また、遮光カバー等の代わりに遮光膜が形成されるように検出器２１に遮光材を塗布してもよい。
【００６４】
次に、冷却装置の別の実施形態について図６及び図７を参照しながら説明する。この冷却装置５０Ａは、導入部材６０と、排出部材７０とで構成されている。
導入部材６０は、図６に示すように、ＰＥＴ装置１の後面側（背面側）に設けられ、ユニット支持部４０の後面側（背面側）の全体を覆う環状を呈している。また、導入部材６１は、リング状の内管部６１ａと、リング状の外管部６１ｂと、内管部６１ａと外管部６１ｂとを接合する遮蔽部６１ｃと、複数の吸気ファン６２と、フィルタ６３とで構成されている。内管部６１ａ及び外管部６１ｂは、前後方向に所定の長さで形成され、互いに同じ長さで形成されている。遮蔽部６１ｃは、内管部６１ａ及び外管部６１ｂに対して前後方向の中間の位置(図７参照)で互いに接合されている。各吸気ファン６２は、遮蔽部６１ｃに対して周方向に沿って設けられている。フィルタ６３は、ＰＥＴ装置１の外部からの空気中に含まれる塵の侵入を防止するためのものであり、遮蔽部６３の後面側（背面側）に、内管部６１ａと外管部６１ｂとで挟まれる環状の領域全体を覆うように配設されている。これにより、ＰＥＴ装置１の外部から取り込んだ粒径の大きな塵を除去した冷却空気が導入部７１ａに導入される。また、複数の吸気ファン６２を検出器ユニット２の並び方向に設けることで、各導風路４２に冷却空気を均一の風量で供給でき、各検出器ユニット２を均一に冷却できる。
【００６５】
前記排出部材７０は、各検出器ユニット２を覆うフレーム７１と、複数の排気ファン７２とを有している。フレーム７１は、前記ユニット支持部４０から突出する各検出器ユニット２の外側を覆う形状を呈しており、ユニット支持部４０の開口縁４０ｂ（図７参照）から延び、検出器ユニット２のユニットファン３３の外側（図７の上部）に空気の流路となる空間が形成されている。また、フレーム７１には、その後面側（背面側）に前記各導風路４２と連通する導入部７１ａが形成されている。排気ファン７２は、図６に示すように、フレーム７１の外面に、検出器ユニット２の並び方向に間隔を開けて配置されている。このように、複数の排気ファン７２を設けることで、各検出器ユニット２からの排気を効率的にＰＥＴ装置１の外部に排出することが可能になる。
【００６６】
本実施形態による効果を以下に記述する。
（１）本実施形態によれば、検出器２１が収容された第１の領域Ａと連通する収納部材５に防塵フィルタ９を取り付けた通気口８を設けているため、検出器（半導体放射線検出器）２１への塵の付着が防止され、検出器２１の特性が悪化するのを防止できる。したがって、装置特性の経時変化を抑えることができ、また、装置保守の頻度を大幅に低減できる。
（２）本実施形態によれば、検出器２１が収容された第１の領域Ａに連通する収納部材５に防塵フィルタ９を取り付けた通気口８を設けているため、検出器２１に対する湿度コントロールが容易になり、検出器２１の特性、つまりは装置特性が安定化し、診断精度を向上できる。
（４）本実施形態によれば、故障の可能性の高い集積回路（アナログＡＳＩＣ２４，ＡＤＣ２５，デジタルＡＳＩＣ２６）を信号処理基板２０Ｂに実装し、また検出器２１を検出器基板２０Ａに実装し、結合基板２２は検出器ユニット２の収納部材５から着脱可能な構造としているので、基板交換やメンテナンスなどの保守性が非常に良好となる。
（５）本実施形態によれば、冷却装置５０による撮像装置１１への冷却空気の入気側と、第１の領域Ａ側とに用いる防塵フィルタを、集塵性能の異なるフィルタ、すなわち入気側では集塵性能が低い粗い目のフィルタ、第１の領域Ａ側では集塵性能が高い細かい目のフィルタとなるように使い分けることにより、検出器ユニット２の冷却能力を低下させることなく、回路素子や検出器２１を適切に防塵することが可能になる。また、入気側に目の粗いフィルタを用いることにより、圧力損失が低減されて、撮像装置１１に設けられるユニットファン３３や排気ファン４４の個数や回転数を低減することができるので、消費電力が低減されるとともに、装置の作動音を大幅に低減される。
（６）本実施形態によれば、発熱部分である信号処理装置と、発熱はしないがより低温に保持したい検出器２１とを、断熱することにより、検出器２１部分の温度上昇を抑えることができる。したがって、検出器２１の時間分解能及びエネルギー分解能が向上し、ＰＥＴ装置１から得られる画像の画質及び定量性が向上し、診断精度を向上できる。
（７）本実施形態によれば、検出器基板２０Ａと信号処理基板２０Ｂとを別基板としてコネクタＣ１で接続する構造としているので、信号処理系から検出器２１への熱伝導が抑えられ、検出器２１の温度上昇を低く抑えることが可能になる。したがって、より一層、ＰＥＴ装置１から得られる画像の画質及び定量性が向上し、診断精度を向上できる。
（８）本実施形態によれば、検出器２１の温度上昇を抑えることができるので、検出器２１の特性が安定し（経時変化の低減、故障率の低下）、ＰＥＴ装置１の信頼性が向上するとともに、ランニングコストの低減が可能になる。
【００６７】
なお、本実施形態は、検出器ユニット２内において検出器２１を収容する第１の領域Ａと信号処理装置を収容する第２の領域Ｂとを断熱部材７により区画したが、それに限定されず、スポンジ状の材質をユニット基板２０間、ユニット基板２０と結合基板２２との間、ユニット基板２０と収納部材５との間、結合基板２２と収納部材５との間に、それぞれ挿入して、第１の領域Ａと第２の領域Ｂとを区画するようにしてもよい。
【００６８】
また、本実施形態では、断熱部材７などの別部材ではなく、収納部材そのものが第１の領域Ａと第２の領域Ｂとに一体に形成されたものでもよい。これにより、部品点数を減らすことが可能になる。
【００６９】
また、本実施形態では、第１の領域Ａと第２の領域Ｂとを区画する部材として、断熱部材７を例に挙げて説明したが、これに限定されず、断熱部材７に替えて伝導性を有する物質とすることにより、信号処理装置から放出される電磁波が検出器２１へ伝播するのを阻止することが可能になる。
【図面の簡単な説明】
【００７０】
【図１】本実施形態にかかる核医学診断装置の構成を示す斜視図である。
【図２】図１の撮像装置の周方向の断面を模式的に示した図である。
【図３】（ａ）は本実施形態にかかる核医学診断装置に用いられる検出器ユニットを正面側から見たときの断面図、（ｂ）は同じく側断面図である。
【図４】検出器ユニットが撮像装置のユニット支持部に装着される態様を示す斜視図である。
【図５】検出器ユニットがユニット支持部に取り付けられた状態を示す断面図である。
【図６】冷却装置の変形例を示す分解斜視図である。
【図７】冷却装置の変形例の断面図である。
【符号の説明】
【００７１】
１      ＰＥＴ装置（核医学診断装置）
２      検出器ユニット
５      収納部材
６      冷却材排出手段
７      断熱部材
８      通気口
９      防塵フィルタ
２０    ユニット基板
２０Ａ  検出器基板（第１の基板）
２０Ｂ  信号処理基板（第２の基板）
２１    検出器（半導体放射線検出器）
２２    結合基板
２４    アナログＡＳＩＣ（信号処理装置）
３３    ユニットファン
３４    通気孔
４０    ユニット支持部
Ａ      第１の領域
Ｂ      第２の領域
Ｈ      被検者(被検体)
【図１】
2007101556.tif 000003
【図２】
2007101556.tif 000004
【図３】
2007101556.tif 000005
【図４】
2007101556.tif 000006
【図５】
2007101556.tif 000007
【図６】
2007101556.tif 000008
【図７】
2007101556.tif 000009
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
被検体を保持するベッドの周りに、放射線を検出する複数の放射線検出器を備えた検出器ユニットを複数配置した核医学診断装置において、
前記検出器ユニットに向けて冷却空気を導入する複数の吸気ファンと、
前記各検出器ユニット間に形成されて、前記冷却空気を前記検出器ユニット内に導く導風路と、を備え、
前記吸気ファンを前記検出器ユニットの並び方向に配置するように構成したことを特徴とする核医学診断装置。
【請求項２】
前記各検出器ユニットを覆うフレームと、
前記検出器ユニットから前記フレーム内に排出された前記冷却空気を、前記フレームの外部に排出する複数の排気ファンと、を備え、
前記排気ファンを前記検出器ユニットの並び方向に間隔を開けて配置するように構成したことを特徴とする請求項１に記載の核医学診断装置。
【手続補正２】
【補正対象書類名】明細書
【補正対象項目名】００１３
【補正方法】変更
【補正の内容】
【００１３】
前記課題を解決するため、本発明は、被検体を保持するベッドの周りに、複数の放射線検出器を備えた検出器ユニットを複数配置した核医学診断装置において、前記検出器ユニットに向けて冷却空気を導入する複数の吸気ファンと、前記各検出器ユニット間に形成されて、前記冷却空気を前記検出器ユニット内に導く導風路と、を備え、前記吸気ファンを前記検出器ユニットの並び方向に配置するように構成したことを特徴とする。
【手続補正３】
【補正対象書類名】明細書
【補正対象項目名】００１４
【補正方法】変更
【補正の内容】
【００１４】
本発明の核医学診断装置では、各導風路に冷却空気を均一の風量で供給でき、各検出器ユニットを均一に冷却できる。